(57)【特許請求の範囲】
【請求項１】
ディジタル通信に用いられる方式であって、
受信信号の電力を検出する電力検出部と、
受信電力を一定時間遅延させる遅延部と、
受信電力と遅延させた遅延受信電力の差分を演算する差分演算部と、
累積加算する加算部と、
累積加算した演算結果を記憶する記憶部と、
一定の時間間隔を管理する時間制御部と、
時間制御部の発する一定時間毎に記憶先を変更する記憶制御部と、
記憶された情報の中から特定条件に該当する箇所を検索する検索部と、
検索箇所に応じた同期信号を生成する同期信号生成部とからなり、
受信した信号から検波に最適な同期タイミングを生成する同期生成方式。
【請求項２】
検索部の特定条件が記憶された情報の中で最小値であることを特徴とした請求項１記載の同期生成方式。
【請求項３】
検索部の特定条件が記憶された情報の中で最大値であることを特徴とした請求項１記載の同期生成方式。
【請求項４】
シンボル時間の半分の間隔の差分が最大の条件を検索することを特徴とした請求項１記載の同期生成方式。
【請求項５】
ディジタル通信に用いられる方式であって、受信信号を一定時間遅延させる遅延部と、
受信信号と遅延させた遅延信号の差分を演算する差分演算部と、
差分演算の結果の電力を演算する電力演算部と、
累積加算する加算部と、
累積加算した演算結果を記憶する記憶部と、
一定の時間間隔を管理する時間制御部と、
時間制御部の発する一定時間毎に記憶先を変更する記憶制御部と、
記憶された情報の中から特定条件に該当する箇所を検索する検索部と、
検索箇所に応じた同期信号を生成する同期信号生成部とからなり、
受信した信号から検波に最適な同期タイミングを生成する同期生成方式。
【請求項６】
検索部の特定条件が記憶された情報の中で最小値であることを特徴とした請求項５記載の同期生成方式。
【請求項７】
検索部の特定条件が記憶された情報の中で最大値であることを特徴とした請求項５記載の同期生成方式。
【請求項８】
シンボル時間の半分の間隔の差分が最大の条件を検索することを特徴とした請求項５記載の同期生成方式。
【請求項９】
ディジタル通信に用いられる方式であって、
受信信号を直交復調する直交復調部と、
直交復調した直交ベースバンド信号を一定時間遅延させる遅延部と、
直交ベースバンド信号と遅延させた遅延信号の差分を演算する差分演算部と、
受信信号と遅延させた遅延信号の差分を演算する差分演算部と、
差分演算した差分ベースバンド信号の電力を演算する電力演算部と、
累積加算する加算部と、
累積加算した演算結果を記憶する記憶部と、
一定の時間間隔を管理する時間制御部と、
一定時間毎に記憶先を変更する記憶制御部と、
記憶された情報の中から特定条件に該当する箇所を検索する検索部と、
検索箇所に応じた同期信号を生成する同期信号生成部とからなり、
受信した信号から検波に最適な同期タイミングを生成する同期生成方式。
【請求項１０】
検索部の特定条件が記憶された情報の中で最小値であることを特徴とした請求項９記載の同期生成方式。
【請求項１１】
検索部の特定条件が記憶された情報の中で最大値であることを特徴とした請求項９記載の同期生成方式。
【請求項１２】
シンボル時間の半分の間隔の差分が最大の条件を検索することを特徴とした請求項９記載の同期生成方式。
【請求項１３】
ディジタル通信に用いられる方式であって、
受信信号を直交復調する直交復調部と、
直交復調した直交ベースバンド信号を一定時間遅延させる遅延部と、
直交ベースバンド信号と遅延させた遅延信号の差分を演算する差分演算部と、
受信信号と遅延させた遅延信号の差分を演算する差分演算部と、
差分演算した差分ベースバンド信号の絶対値を演算する絶対値演算部と、
２つの差分ベースバンド信号の絶対値の和を演算する加算部と、
累積加算する加算部と、
累積加算した演算結果を記憶する記憶部と、
一定の時間間隔を管理する時間制御部と、
時間制御部の発する一定時間毎に記憶先を変更する記憶制御部と、
記憶された情報の中から特定条件に該当する箇所を検索する検索部と、
検索箇所に応じた同期信号を生成する同期信号生成部とからなり、
受信した信号から検波に最適な同期タイミングを生成する同期生成方式。
【請求項１４】
検索部の特定条件が記憶された情報の中で最小値であることを特徴とした請求項１３記載の同期生成方式。
【請求項１５】
検索部の特定条件が記憶された情報の中で最大値であることを特徴とした請求項１３記載の同期生成方式。
【請求項１６】
シンボル時間の半分の間隔の差分が最大の条件を検索することを特徴とした請求項１３記載の同期生成方式。
【請求項１７】
ディジタル通信に用いられる方式であって、
受信信号の電力を検出する電力検出部と、
受信電力を一定時間遅延させる遅延部と、
受信電力と遅延させた遅延受信電力の差分を演算する差分演算部と、
累積加算する加算部と、
累積加算した演算結果を記憶する記憶部と、
一定の時間間隔を管理する時間制御部と、
時間制御部の発する一定時間毎に記憶先を変更する記憶制御部と、
記憶された情報の中から特定条件に該当する箇所を検索する検索部と、
検索箇所に応じた同期信号を生成する同期信号生成部と、
受信信号を直交復調する直交復調部と、
同期位置の直交復調信号から信号分布を生成する信号分布検出部と、
信号分布から変調信号を推定する変調信号推定部とからなり、
受信した信号から変調信号を推定すると共に、検波に最適な同期タイミングを生成する同期生成方式。
【請求項１８】
検索部の特定条件が記憶された情報の中で最小値であることを特徴とした請求項１７記載の同期生成方式。
【請求項１９】
検索部の特定条件が記憶された情報の中で最大値であることを特徴とした請求項１７記載の同期生成方式。
【請求項２０】
シンボル時間の半分の間隔の差分が最大の条件を検索することを特徴とした請求項１７記載の同期生成方式。
【請求項２１】
ディジタル通信に用いられる方式であって、
受信信号を直交復調する直交復調部と、
直交復調した直交ベースバンド信号を一定時間遅延させる遅延部と、
直交ベースバンド信号と遅延させた遅延信号の差分を演算する差分演算部と、
受信信号と遅延させた遅延信号の差分を演算する差分演算部と、
差分演算した差分ベースバンド信号の電力を演算する電力演算部と、
累積加算する加算部と、
累積加算した演算結果を記憶する記憶部と、
一定の時間間隔を管理する時間制御部と、
一定時間毎に記憶先を変更する記憶制御部と、
記憶された情報の中から特定条件に該当する箇所を検索する検索部と、
検索箇所に応じた同期信号を生成する同期信号生成部と、
同期位置の直交ベースバンド信号から信号分布を生成する分布生成部と、
信号分布から変調信号を推定する変調信号推定部とからなり、
受信した信号から変調信号を推定すると共に、検波に最適な同期タイミングを生成する同期生成方式。
【請求項２２】
検索部の特定条件が記憶された情報の中で最小値であることを特徴とした請求項２１記載の同期生成方式。
【請求項２３】
検索部の特定条件が記憶された情報の中で最大値であることを特徴とした請求項２１記載の同期生成方式。
【請求項２４】
シンボル時間の半分の間隔の差分が最大の条件を検索することを特徴とした請求項２１記載の同期生成方式。
【請求項２５】
ディジタル通信に用いられる方式であって、
受信信号を直交復調する直交復調部と、
直交復調した直交ベースバンド信号を一定時間遅延させる遅延部と、
直交ベースバンド信号と遅延させた遅延信号の差分を演算する差分演算部と、
受信信号と遅延させた遅延信号の差分を演算する差分演算部と、
差分演算した差分ベースバンド信号の絶対値を演算する絶対値演算部と、
２つの差分ベースバンド信号の絶対値の和を演算する加算部と、
累積加算する加算部と、
累積加算した演算結果を記憶する記憶部と、
一定の時間間隔を管理する時間制御部と、
時間制御部の発する一定時間毎に記憶先を変更する記憶制御部と、
記憶された情報の中から特定条件に該当する箇所を検索する検索部と、
検索箇所に応じた同期信号を生成する同期信号生成部と、
同期位置の受信信号から信号分布を生成する分布生成部と、
信号分布から変調信号を推定する変調信号推定部とからなり、
受信した信号から変調信号を推定すると共に、検波に最適な同期タイミングを生成する同期生成方式。
【請求項２６】
検索部の特定条件が記憶された情報の中で最小値であることを特徴とした請求項２５記載の同期生成方式。
【請求項２７】
検索部の特定条件が記憶された情報の中で最大値であることを特徴とした請求項２５記載の同期生成方式。
【請求項２８】
シンボル時間の半分の間隔の差分が最大の条件を検索することを特徴とした請求項２５記載の同期生成方式。
【請求項２９】
請求項１から２８のいずれかに記載の同期方式を用いた復調装置。
【請求項３０】
請求項１から２８のいずれかに記載の同期方式を用いたディジタル通信システム。
【発明の詳細な説明】
【０００１】
【発明の属する技術分野】
本発明はディジタル通信に用いられる技術であって、特に同期生成方式に関する技術である。
【０００２】
【従来の技術】
ディジタル通信において、同期は受信特性を大きく左右するため様々な方法がとられている。変調方式の特徴である、瞬時電力分布などを利用した方式は特開平７−１６２４６７号公報などでも知られている。この方式は、受信電力が低い環境でも高精度な同期結果が安定して得られる方式として利用されている。
【０００３】
【本発明が解決しようとする課題】
しかしながら、従来の同期方式は変調方式の特徴、例えば瞬時電力分布などを利用した方式であり、多値直交変調など振幅に情報が多重された複雑な変調には対応が困難であるとともに、受信装置において、ゲイン変化やＤＣオフセットなどの誤差要因があるとその特性が劣化するなどの課題があった。
【０００４】
【課題を解決するための手段】
この問題を解決するために本発明では、瞬時変化量に着目し、この分布が線形変調を代表とする一般的な変調方式において、シンボルレートと大きな相関があることを利用している。この瞬時変化量の分布を同期の判断材料としているため、変調方式に左右されず、ゲイン変化や誤差要因にも強いといった大きな特長を有する同期方式を提供する。また、変調方式に左右されない同期方式のために、変調信号が不明な場合においても正確な同期信号を作り出すことができ、変調信号の推定も可能にする。
【０００５】
【発明の実施の形態】
本発明の請求項１に記載の発明は、
ディジタル通信に用いられる方式であって、受信信号の電力を検出する電力検出部と、受信電力を一定時間遅延させる遅延部と、受信電力と遅延させた遅延受信電力の差分を演算する差分演算部と、累積加算する加算部と、累積加算した演算結果を記憶する記憶部と、一定の時間間隔を管理する時間制御部と、時間制御部の発する一定時間毎に記憶先を変更する記憶制御部と、記憶された情報の中から特定条件に該当する箇所を検索する検索部と、検索箇所に応じた同期信号を生成する同期信号生成部とからなり、受信した信号から検波に最適な同期タイミングを生成する同期生成方式であり、変調方式に依らず高精度に同期捕捉が可能であるという作用を有する。
【０００６】
請求項５に記載の発明は、ディジタル通信に用いられる方式であって、受信信号を一定時間遅延させる遅延部と、受信信号と遅延させた遅延信号の差分を演算する差分演算部と、差分演算の結果の電力を演算する電力演算部と、累積加算する加算部と、累積加算した演算結果を記憶する記憶部と、一定の時間間隔を管理する時間制御部と、時間制御部の発する一定時間毎に記憶先を変更する記憶制御部と、記憶された情報の中から特定条件に該当する箇所を検索する検索部と、検索箇所に応じた同期信号を生成する同期信号生成部とからなり、受信した信号から検波に最適な同期タイミングを生成する同期生成方式であり、変調方式に依らず高精度に同期捕捉が可能であるという作用を有する。
【０００７】
請求項９に記載の発明は、ディジタル通信に用いられる方式であって、受信信号を直交復調する直交復調部と、直交復調した直交ベースバンド信号を一定時間遅延させる遅延部と、直交ベースバンド信号と遅延させた遅延信号の差分を演算する差分演算部と、受信信号と遅延させた遅延信号の差分を演算する差分演算部と、差分演算した差分ベースバンド信号の電力を演算する電力演算部と、累積加算する加算部と、累積加算した演算結果を記憶する記憶部と、一定の時間間隔を管理する時間制御部と、一定時間毎に記憶先を変更する記憶制御部と、記憶された情報の中から特定条件に該当する箇所を検索する検索部と、検索箇所に応じた同期信号を生成する同期信号生成部とからなり、受信した信号から検波に最適な同期タイミングを生成する同期生成方式であり、変調方式に依らず高精度に同期捕捉が可能であるという作用を有する。
【０００８】
請求項１３に記載の発明は、ディジタル通信に用いられる方式であって、受信信号を直交復調する直交復調部と、直交復調した直交ベースバンド信号を一定時間遅延させる遅延部と、直交ベースバンド信号と遅延させた遅延信号の差分を演算する差分演算部と、受信信号と遅延させた遅延信号の差分を演算する差分演算部と、差分演算した差分ベースバンド信号の絶対値を演算する絶対値演算部と、２つの差分ベースバンド信号の絶対値の和を演算する加算部と、累積加算する加算部と、累積加算した演算結果を記憶する記憶部と、一定の時間間隔を管理する時間制御部と、時間制御部の発する一定時間毎に記憶先を変更する記憶制御部と、記憶された情報の中から特定条件に該当する箇所を検索する検索部と、検索箇所に応じた同期信号を生成する同期信号生成部とからなり、受信した信号から検波に最適な同期タイミングを生成する同期生成方式であり、変調方式に依らず高精度に同期捕捉が可能であるという作用を有する。
【０００９】
請求項１７に記載の発明は、ディジタル通信に用いられる方式であって、受信信号の電力を検出する電力検出部と、受信電力を一定時間遅延させる遅延部と、受信電力と遅延させた遅延受信電力の差分を演算する差分演算部と、累積加算する加算部と、累積加算した演算結果を記憶する記憶部と、一定の時間間隔を管理する時間制御部と、時間制御部の発する一定時間毎に記憶先を変更する記憶制御部と、記憶された情報の中から特定条件に該当する箇所を検索する検索部と、検索箇所に応じた同期信号を生成する同期信号生成部と、受信信号を直交復調する直交復調部と、同期位置の直交復調信号から信号分布を生成する信号分布検出部と、信号分布から変調信号を推定する変調信号推定部とからなり、受信した信号から変調信号を推定すると共に、検波に最適な同期タイミングを生成する同期方式であり、変調方式が不明な受信信号でも、同期捕捉を可能にし、その変調方式を推定するという作用を有する。
【００１０】
請求項２１に記載の発明は、ディジタル通信に用いられる方式であって、受信信号を直交復調する直交復調部と、直交復調した直交ベースバンド信号を一定時間遅延させる遅延部と、直交ベースバンド信号と遅延させた遅延信号の差分を演算する差分演算部と、受信信号と遅延させた遅延信号の差分を演算する差分演算部と、差分演算した差分ベースバンド信号の電力を演算する電力演算部と、累積加算する加算部と、累積加算した演算結果を記憶する記憶部と、一定の時間間隔を管理する時間制御部と、一定時間毎に記憶先を変更する記憶制御部と、記憶された情報の中から特定条件に該当する箇所を検索する検索部と、検索箇所に応じた同期信号を生成する同期信号生成部と、同期位置の直交ベースバンド信号から信号分布を生成する分布生成部と、信号分布から変調信号を推定する変調信号推定部とからなり、受信した信号から変調信号を推定すると共に、検波に最適な同期タイミングを生成する同期方式であり、変調方式が不明な受信信号でも、同期捕捉を可能にし、その変調方式を推定するという作用を有する。
【００１１】
請求項２５に記載の発明は、ディジタル通信に用いられる方式であって、受信信号を直交復調する直交復調部と、直交復調した直交ベースバンド信号を一定時間遅延させる遅延部と、直交ベースバンド信号と遅延させた遅延信号の差分を演算する差分演算部と、受信信号と遅延させた遅延信号の差分を演算する差分演算部と、差分演算した差分ベースバンド信号の絶対値を演算する絶対値演算部と、２つの差分ベースバンド信号の絶対値の和を演算する加算部と、累積加算する加算部と、累積加算した演算結果を記憶する記憶部と、一定の時間間隔を管理する時間制御部と、時間制御部の発する一定時間毎に記憶先を変更する記憶制御部と、記憶された情報の中から特定条件に該当する箇所を検索する検索部と、検索箇所に応じた同期信号を生成する同期信号生成部と、同期位置の受信信号から信号分布を生成する分布生成部と、信号分布から変調信号を推定する変調信号推定部とからなり、受信した信号から変調信号を推定すると共に、検波に最適な同期タイミングを生成する同期方式であり、変調方式が不明な受信信号でも、同期捕捉を可能にし、その変調方式を推定するという作用を有する。
【００１２】
以下、本発明の実施の形態について図１から図７を用いて説明する。
【００１３】
（実施の形態１）
図１を用いて第１の発明の実施の形態について説明する。
【００１４】
受信信号１５０は電力検出部１０１により受信電力が検出され、受信電力信号１５１を出力する。この信号は遅延部１０２によって一定時間遅延され、遅延信号１５２が出力される。受信電力信号１５１と遅延信号１５２が差分演算部１０３により瞬時電力変化量である差分電力信号１５３が求められる。
【００１５】
時間制御部１０７はシステムの時間を管理しており、記憶制御部１０６はサンプル時間情報１５６からそのタイミングに対応する記憶部１０５のテーブルの要素を示すテーブルアドレス１５５を出力する。
【００１６】
差分電力信号１５３はテーブルアドレス１５５で示された直前のテーブル情報１５８と加算部１０４で累積加算され電力累積信号１５４が出力される。この電力累積信号１５４は記憶部１０５内のテーブル情報として更新される。
【００１７】
検索部１０８は記憶部１０５から出力されるテーブル情報１５８の内の全情報から、あらかじめ与えられた条件（例えば最小、最大、１／２シンボル間隔の差分が最大など、ここでは最小とする）で検索し、検索結果１５９を出力する。同期信号生成部１０９は時間制御部１０７で出力されるシステムタイミング１５７と前記検索結果１５９とから受信信号のシンボルタイミングに同期したシンボル同期信号１６０を出力する。
【００１８】
本方式は、ディジタル変調信号の瞬時変化量がシンボルレートと高い相関を有していることを利用したものであり、これは、ディジタル通信に主に利用されている、ＧＭＳＫ変調や、位相変調、直交振幅変調に代表される線形変調方式などに共通の特徴である。
【００１９】
このため、特にディジタル変調方式を選ぶことなく同期がとれるといった大きな特長があるほか、瞬時変化量をシンボル同期の判断材料とするため、検出に用いる電力値にＤＣオフセットが存在していても、その特性に影響を受けないなどの特長を持つ。
【００２０】
また、電力検出部１０１を周波数によって出力を変化させるような周波数検出部に置き換えることで、ＦＳＫであるような非線形変調方式にも対応できる。
【００２１】
前述の通り検索部１０８が検索すべき条件は１つとは限らず、様々な条件が考えられる。中でも一般の線形変調方式の特徴が、同期すべき時間の電力が最小になることから、最小電力を検索する方式が効果的である。
【００２２】
また、逆に最大の電力から半周期ずれたところが同期すべき時間であるといった関係から、最大電力を検索する方式も考えられる。さらには、半周期ずれた電力同士の差が最大になる時間を検索しても同様に同期すべき時間が推定できる。
【００２３】
（実施の形態２）
図２を用いて第２の発明の実施の形態について説明する。
受信信号２５０は遅延部２０１によって一定時間遅延され遅延信号２６０が出力される。受信信号２５０と遅延信号２６０は差分演算部２０２により瞬時変化量である差分受信信号２５１が出力される。差分演算部２０２により出力された差分受信信号２５２は電力演算部２０３により瞬時電力変化量である差分電力信号２５２を出力する。
【００２４】
時間制御部２０７はシステムの時間を管理しており、記憶制御部２０６はサンプル時間情報２５５からそのタイミングに対応する記憶部２０５のテーブルの要素を示すテーブルアドレス２５４を出力する。
【００２５】
差分電力信号２５３はテーブルアドレス２５４で示された直前のテーブル情報２５６とが加算部２０４で累積加算され電力累積信号２５３が出力される。この電力累積信号２５３は記憶部２０５内のテーブル情報として更新される。
【００２６】
検索部２０８は記憶部２０５から出力されるテーブル情報２５６の内の全情報から、あらかじめ与えられた条件（例えば最小、最大、１／２シンボル間隔の差分が最大など、ここでは最小とする）で検索し、検索結果２５８を出力する。同期信号生成部２０９は時間制御部２０７で出力されるシステムタイミング２５７と前記検索結果２５８とから受信信号のシンボルタイミングに同期したシンボル同期信号２５９を出力する。
【００２７】
本方式は、ディジタル変調信号の瞬時変化量がシンボルレートと高い相関を有していることを利用したものであり、これは、ディジタル通信に主に利用されている、ＧＭＳＫ変調や、位相変調、直交振幅変調に代表される線形変調方式などに共通の特徴である。
【００２８】
このため、特にディジタル変調方式を選ぶことなく同期がとれるといった大きな特長があるほか、瞬時変化量をシンボル同期の判断材料とするため、検出に用いる電力値にＤＣオフセットが存在していても、その特性に影響を受けないなどの特長を持つ。
【００２９】
前述の通り検索部２０８が検索すべき条件は１つとは限らず、様々な条件が考えられる。中でも一般の線形変調方式の特徴が、同期すべき時間の電力が最小になることから、最小電力を検索する方式が効果的である。また、逆に最大の電力から半周期ずれたところが同期すべき時間であるといった関係から、最大電力を検索する方式も考えられる。さらには、半周期ずれた電力同士の差が最大になる時間を検索しても同様に同期すべき時間が推定できる。
【００３０】
（実施の形態３）
図３を用いて第３の発明の実施の形態について説明する。
【００３１】
受信信号３５０は直交復調部３０１によって直交復調され直交ベースバンド信号３５１が出力される。直交ベースバンド信号３５１は遅延部３０２によって一定時間遅延され遅延信号３５２が出力される。
【００３２】
直交ベースバンド信号３５１と遅延信号３５２は差分演算部３０３により瞬時変化ベクトルである差分ベースバンド信号３５３が出力される。差分演算部３０３により出力された差分ベースバンド信号３５３は電力演算部３０４により瞬時電力変化量である差分電力信号３５４を出力する。
【００３３】
時間制御部３０８はシステムの時間を管理しており、記憶制御部３０７はサンプル時間情報３５７からそのタイミングに対応する記憶部３０６のテーブルの要素を示すテーブルアドレス３５６を出力する。
【００３４】
差分電力信号３５４はテーブルアドレス３５６で示された直前のテーブル情報３５８とが加算部３０５で累積加算され電力累積信号３５５が出力される。この電力累積信号３５５は記憶部３０６内のテーブル情報として更新される。
【００３５】
検索部３０９は記憶部３０６から出力されるテーブル情報３５８の内の全情報から、あらかじめ与えられた条件（例えば最小、最大、１／２シンボル間隔の差分が最大など、ここでは最小とする）で検索し、検索結果３６０を出力する。
【００３６】
同期信号生成部３１０は時間制御部３０８で出力されるシステムタイミング３５９と前記検索結果３６０とから受信信号のシンボルタイミングに同期したシンボル同期信号３６１を出力する。
【００３７】
本方式は、ディジタル変調信号の瞬時変化量がシンボルレートと高い相関を有していることを利用したものであり、これは、ディジタル通信に主に利用されている、ＧＭＳＫ変調や、位相変調、直交振幅変調に代表される線形変調方式などに共通の特徴である。
このため、特にディジタル変調方式を選ぶことなく同期がとれるといった大きな特長があるほか、瞬時変化量をシンボル同期の判断材料とするため、検出に用いる電力値にＤＣオフセットが存在していても、その特性に影響を受けないなどの特長を持つ。
【００３８】
前述の通り検索部３０９が検索すべき条件は１つとは限らず、様々な条件が考えられる。中でも一般の線形変調方式の特徴が、同期すべき時間の電力が最小になることから、最小電力を検索する方式が効果的である。
【００３９】
また、逆に最大の電力から半周期ずれたところが同期すべき時間であるといった関係から、最大電力を検索する方式も考えられる。さらには、半周期ずれた電力同士の差が最大になる時間を検索しても同様に同期すべき時間が推定できる。
【００４０】
（実施の形態４）
図４を用いて第４の発明の実施の形態について説明する。
【００４１】
受信信号４５０は直交復調部４０１によって直交復調され直交ベースバンド信号４５１が出力される。直交ベースバンド信号４５１は遅延部４０２によって一定時間遅延され遅延信号４５２が出力される。直交ベースバンド信号４５１と遅延信号４５２は差分演算部４０３により瞬時変化ベクトルである差分ベースバンド信号４５３が出力される。
【００４２】
差分演算部４０３により出力された差分ベースバンド信号４５３は絶対値演算部４０４により瞬時変化量である差分絶対値信号４５４を出力する。
【００４３】
時間制御部４０８はシステムの時間を管理しており、記憶制御部４０７はサンプル時間情報４５７からそのタイミングに対応する記憶部４０６のテーブルの要素を示すテーブルアドレス４５６を出力する。
【００４４】
差分絶対値信号４５４はテーブルアドレス４５６で示された直前のテーブル情報４５８とが加算部４０５で累積加算され絶対値累積信号４５５が出力される。この絶対値累積信号４５５は記憶部４０６内のテーブル情報として更新される。
【００４５】
検索部４０９は記憶部４０６から出力されるテーブル情報４５８の内の全情報から、あらかじめ与えられた条件（例えば最小、最大、１／２シンボル間隔の差分が最大など、ここでは最小とする）で検索し、検索結果４６０を出力する。同期信号生成部４１０は時間制御部４０８で出力されるシステムタイミング４５９と前記検索結果４６０とから受信信号のシンボルタイミングに同期したシンボル同期信号４６１を出力する。
【００４６】
本方式は、ディジタル変調信号の瞬時変化量がシンボルレートと高い相関を有していることを利用したものであり、これは、ディジタル通信に主に利用されている、ＧＭＳＫ変調や、位相変調、直交振幅変調に代表される線形変調方式などに共通の特徴である。
【００４７】
このため、特にディジタル変調方式を選ぶことなく同期がとれるといった大きな特長があるほか、瞬時変化量をシンボル同期の判断材料とするため、検出に用いる電力値にＤＣオフセットが存在していても、その特性に影響を受けないなどの特長を持つ。
【００４８】
前述の通り検索部４０９が検索すべき条件は１つとは限らず、様々な条件が考えられる。中でも一般の線形変調方式の特徴が、同期すべき時間の電力が最小になることから、最小電力を検索する方式が効果的である。
【００４９】
また、逆に最大の電力から半周期ずれたところが同期すべき時間であるといった関係から、最大電力を検索する方式も考えられる。さらには、半周期ずれた電力同士の差が最大になる時間を検索しても同様に同期すべき時間が推定できる。
【００５０】
（実施の形態５）
図５を用いて第５の発明の実施の形態について説明する。
【００５１】
受信信号５５０は電力検出部５０１により受信電力が検出され、受信電力信号５５１を出力する。この信号は遅延部５０２によって一定時間遅延され、遅延信号５５２が出力される。受信電力信号５５１と遅延信号５５２が差分演算部５０３により瞬時電力変化量である差分電力信号５５３が求められる。
【００５２】
時間制御部５０７はシステムの時間を管理しており、記憶制御部５０６はサンプル時間情報５５６からそのタイミングに対応する記憶部５０５のテーブルの要素を示すテーブルアドレス５５５を出力する。
【００５３】
差分電力信号５５３はテーブルアドレス５５５で示された直前のテーブル情報５５８と加算部５０４で累積加算され電力累積信号５５４が出力される。この電力累積信号５５４は記憶部５０５内のテーブル情報として更新される。
【００５４】
検索部５０８は記憶部５０５から出力されるテーブル情報５５８の内の全情報から、あらかじめ与えられた条件（例えば最小、最大、１／２シンボル間隔の差分が最大など、ここでは最小とする）で検索し、検索結果５５９を出力する。同期信号生成部５０９は時間制御部５０７で出力されるシステムタイミング５５７と前記検索結果５５９とから受信信号のシンボルタイミングに同期したシンボル同期信号５６０を出力する。
【００５５】
また、受信信号５５０は直交復調部５１０により直交復調され直交ベースバンド信号５６１が出力される。直交復調信号５６１はシンボルタイミングに同期したシンボル同期信号５６０によってシンボルタイミング毎にサンプルされ、その信号分布情報５６２が信号分布検出部５１１により出力される。
【００５６】
この信号分布情報５６２にある特徴から変調信号推定部５１２は受信信号５５０の変調方式を推定し変調方式情報５６３を出力する。
【００５７】
本方式は、ディジタル変調信号の瞬時変化量がシンボルレートと高い相関を有していることを利用したものであり、これは、ディジタル通信に主に利用されている、ＧＭＳＫ変調や、位相変調、直交振幅変調に代表される線形変調方式などに共通の特徴である。
【００５８】
このため、特にディジタル変調方式を選ぶことなく同期がとれるといった大きな特長があるほか、瞬時変化量をシンボル同期の判断材料とするため、検出に用いる電力値にＤＣオフセットが存在していても、その特性に影響を受けないなどの特長を持つ。
【００５９】
また、電力検出部５０１を周波数によって出力を変化させるような周波数検出部に置き換えることで、ＦＳＫであるような非線形変調方式にも対応できる。
【００６０】
前述の通り検索部５０８が検索すべき条件は１つとは限らず、様々な条件が考えられる。中でも一般の線形変調方式の特徴が、同期すべき時間の電力が最小になることから、最小電力を検索する方式が効果的である。
【００６１】
また、逆に最大の電力から半周期ずれたところが同期すべき時間であるといった関係から、最大電力を検索する方式も考えられる。さらには、半周期ずれた電力同士の差が最大になる時間を検索しても同様に同期すべき時間が推定できる。
【００６２】
受信信号の変調方式が不明である場合、そのシンボルレートも不明である場合が多い。この推定方式としては、受信信号のスペクトラムが有する帯域などから換算可能であるが、ここではこのシンボルレートを推定する方式を規定するものではなく、様々なシンボルレート推定方式がこの方式に適用可能であることは明白である。
【００６３】
（実施の形態６）
図６を用いて第６の発明の実施の形態について説明する。
【００６４】
受信信号６５０は直交復調部６０１によって直交復調され直交ベースバンド信号６５１が出力される。直交ベースバンド信号６５１は遅延部６０２によって一定時間遅延され遅延信号６５２が出力される。直交ベースバンド信号６５１と遅延信号６５２は差分演算部６０３により瞬時変化ベクトルである差分ベースバンド信号６５３が出力される。
【００６５】
差分演算部６０３により出力された差分ベースバンド信号６５３は電力演算部６０４により瞬時電力変化量である差分電力信号６５４を出力する。
【００６６】
時間制御部６０８はシステムの時間を管理しており、記憶制御部６０７はサンプル時間情報６５７からそのタイミングに対応する記憶部６０６のテーブルの要素を示すテーブルアドレス６５６を出力する。
【００６７】
差分電力信号６５４はテーブルアドレス６５６で示された直前のテーブル情報６５８とが加算部６０５で累積加算され電力累積信号６５５が出力される。この電力累積信号６５５は記憶部６０６内のテーブル情報として更新される。
【００６８】
検索部６０９は記憶部６０６から出力されるテーブル情報６５８の内の全情報から、あらかじめ与えられた条件（例えば最小、最大、１／２シンボル間隔の差分が最大など、ここでは最小とする）で検索し、検索結果６６０を出力する。
【００６９】
同期信号生成部６１０は時間制御部６０８で出力されるシステムタイミング６５９と前記検索結果６６０とから受信信号のシンボルタイミングに同期したシンボル同期信号６６１を出力する。
【００７０】
また、直交復調部６０１により直交復調された直交ベースバンド信号６５１はシンボルタイミングに同期したシンボル同期信号６６１によってシンボルタイミング毎にサンプルされ、その信号分布情報６６２が信号分布検出部６１１により出力される。この信号分布情報６６２にある特徴から変調信号推定部６１２は受信信号６５０の変調方式を推定し変調方式情報６６３を出力する。
【００７１】
本方式は、ディジタル変調信号の瞬時変化量がシンボルレートと高い相関を有していることを利用したものであり、これは、ディジタル通信に主に利用されている、ＧＭＳＫ変調や、位相変調、直交振幅変調に代表される線形変調方式などに共通の特徴である。
【００７２】
このため、特にディジタル変調方式を選ぶことなく同期がとれるといった大きな特長があるほか、瞬時変化量をシンボル同期の判断材料とするため、検出に用いる電力値にＤＣオフセットが存在していても、その特性に影響を受けないなどの特長を持つ。
【００７３】
前述の通り検索部６０９が検索すべき条件は１つとは限らず、様々な条件が考えられる。中でも一般の線形変調方式の特徴が、同期すべき時間の電力が最小になることから、最小電力を検索する方式が効果的である。
【００７４】
また、逆に最大の電力から半周期ずれたところが同期すべき時間であるといった関係から、最大電力を検索する方式も考えられる。さらには、半周期ずれた電力同士の差が最大になる時間を検索しても同様に同期すべき時間が推定できる。
【００７５】
受信信号の変調方式が不明である場合、そのシンボルレートも不明である場合が多い。この推定方式としては、受信信号のスペクトラムが有する帯域などから換算可能であるが、ここではこのシンボルレートを推定する方式を規定するものではなく、様々なシンボルレート推定方式がこの方式に適用可能であることは明白である。
【００７６】
（実施の形態７）
図７を用いて第７の発明の実施の形態について説明する。
【００７７】
受信信号７５０は直交復調部７０１によって直交復調され直交ベースバンド信号７５１が出力される。直交ベースバンド信号７５１は遅延部７０２によって一定時間遅延され遅延信号７５２が出力される。直交ベースバンド信号７５１と遅延信号７５２は差分演算部７０３により瞬時変化ベクトルである差分ベースバンド信号７５３が出力される。
【００７８】
差分演算部７０３により出力された差分ベースバンド信号７５３は絶対値演算部７０４により瞬時変化量である差分絶対値信号７５４を出力する。
【００７９】
時間制御部７０８はシステムの時間を管理しており、記憶制御部７０７はサンプル時間情報７５７からそのタイミングに対応する記憶部７０６のテーブルの要素を示すテーブルアドレス７５６を出力する。
【００８０】
差分絶対値信号７５４はテーブルアドレス７５６で示された直前のテーブル情報７５８とが加算部７０５で累積加算され絶対値累積信号７５５が出力される。この絶対値累積信号７５５は記憶部７０６内のテーブル情報として更新される。
【００８１】
検索部７０９は記憶部７０６から出力されるテーブル情報７５８の内の全情報から、あらかじめ与えられた条件（例えば最小、最大、１／２シンボル間隔の差分が最大など、ここでは最小とする）で検索し、検索結果７６０を出力する。同期信号生成部７１０は時間制御部７０８で出力されるシステムタイミング７５９と前記検索結果７６０とから受信信号のシンボルタイミングに同期したシンボル同期信号７６１を出力する。
【００８２】
また、直交復調部７０１により直交復調された直交ベースバンド信号７５１はシンボルタイミングに同期したシンボル同期信号７６１によってシンボルタイミング毎にサンプルされ、その信号分布情報７６２が信号分布検出部７１１により出力される。この信号分布情報７６２にある特徴から変調信号推定部７１２は受信信号７５０の変調方式を推定し変調方式情報７６３を出力する。
【００８３】
本方式は、ディジタル変調信号の瞬時変化量がシンボルレートと高い相関を有していることを利用したものであり、これは、ディジタル通信に主に利用されている、ＧＭＳＫ変調や、位相変調、直交振幅変調に代表される線形変調方式などに共通の特徴である。
【００８４】
このため、特にディジタル変調方式を選ぶことなく同期がとれるといった大きな特長があるほか、瞬時変化量をシンボル同期の判断材料とするため、検出に用いる電力値にＤＣオフセットが存在していても、その特性に影響を受けないなどの特長を持つ。
【００８５】
前述の通り検索部７０９が検索すべき条件は１つとは限らず、様々な条件が考えられる。中でも一般の線形変調方式の特徴が、同期すべき時間の電力が最小になることから、最小電力を検索する方式が効果的である。また、逆に最大の電力から半周期ずれたところが同期すべき時間であるといった関係から、最大電力を検索する方式も考えられる。さらには、半周期ずれた電力同士の差が最大になる時間を検索しても同様に同期すべき時間が推定できる。
【００８６】
受信信号の変調方式が不明である場合、そのシンボルレートも不明である場合が多い。この推定方式としては、受信信号のスペクトラムが有する帯域などから換算可能であるが、ここではこのシンボルレートを推定する方式を規定するものではなく、様々なシンボルレート推定方式がこの方式に適用可能であることは明白である。
【００８７】
【発明の効果】
以上のように本発明によれば、ディジタル通信に用いられ、ＤＣオフセットやゲインや変調信号に左右されない安定した同期捕捉が行えるといった有利な効果が得られることに加え、変調信号が不明な場合でも正確な同期と同時に変調方式の推定を行うといった事を可能とする。
【図面の簡単な説明】
【図１】本発明の第１の実施の形態におけるブロック回路図
【図２】本発明の第２の実施の形態におけるブロック回路図
【図３】本発明の第３の実施の形態におけるブロック回路図
【図４】本発明の第４の実施の形態におけるブロック回路図
【図５】本発明の第５の実施の形態におけるブロック回路図
【図６】本発明の第６の実施の形態におけるブロック回路図
【図７】本発明の第７の実施の形態におけるブロック回路図
【符号の説明】
１０１  電力検出部
１０２  遅延部
１０３  差分演算部
１０４  加算部
１０５  記憶部
１０６  記憶制御部
１０７  時間制御部
１０８  検索部
１０９  同期信号生成部
１５０  受信信号
１５１  受信電力信号
１５２  遅延信号
１５３  差分電力信号
１５４  電力累積信号
１５５  テーブルアドレス
１５６  サンプル時間情報
１５７  システムタイミング
１５８  テーブル情報
１５９  検索結果
１６０  シンボル同期信号
２０１  遅延部
２０２  差分演算部
２０３  電力演算部
２０４  加算部
２０５  記憶部
２０６  記憶制御部
２０７  時間制御部
２０８  検索部
２０９  同期信号生成部
２５０  受信信号
２５１  差分受信信号
２５２  差分電力信号
２５３  電力累積信号
２５４  テーブルアドレス
２５５  サンプル時間情報
２５６  テーブル情報
２５７  システムタイミング
２５８  検索結果
２５９  シンボル同期信号
２６０  遅延信号
３０１  直交復調部
３０２  遅延部
３０３  差分演算部
３０４  電力演算部
３０５  加算部
３０６  記憶部
３０７  記憶制御部
３０８  時間制御部
３０９  検索部
３１０  同期信号生成部
３５０  受信信号
３５１  直交ベースバンド信号
３５２  遅延信号
３５３  差分ベースバンド信号
３５４  差分電力信号
３５５  電力累積信号
３５６  テーブルアドレス
３５７  サンプル時間情報
３５８  テーブル情報
３５９  システムタイミング
３６０  検索結果
３６１  シンボル同期信号
４０１  直交復調部
４０２  遅延部
４０３  差分演算部
４０４  絶対値演算部
４０５  加算部
４０６  記憶部
４０７  記憶制御部
４０８  時間制御部
４０９  検索部
４１０  同期信号生成部
４５０  受信信号
４５１  直交ベースバンド信号
４５２  遅延信号
４５３  差分ベースバンド信号
４５４  差分絶対値信号
４５５  絶対値累積信号
４５６  テーブルアドレス
４５７  サンプル時間情報
４５８  テーブル情報
４５９  システムタイミング
４６０  検索結果
４６１  シンボル同期信号
５０１  電力検出部
５０２  遅延部
５０３  差分演算部
５０４  加算部
５０５  記憶部
５０６  記憶制御部
５０７  時間制御部
５０８  検索部
５０９  同期信号生成部
５１０  直交復調部
５１１  信号分布検出部
５１２  変調信号推定部
５５０  受信信号
５５１  受信電力信号
５５２  遅延信号
５５３  差分電力信号
５５４  電力累積信号
５５５  テーブルアドレス
５５６  サンプル時間情報
５５７  システムタイミング
５５８  テーブル情報
５５９  検索結果
５６０  シンボル同期信号
５６１  直交ベースバンド信号
５６２  信号分布情報
５６３  変調方式情報
６０１  直交復調部
６０２  遅延部
６０３  差分演算部
６０４  電力演算部
６０５  加算部
６０６  記憶部
６０７  記憶制御部
６０８  時間制御部
６０９  検索部
６１０  同期信号生成部
６１１  信号分布検出部
６１２  変調信号推定部
６５０  受信信号
６５１  直交ベースバンド信号
６５２  遅延信号
６５３  差分ベースバンド信号
６５４  差分電力信号
６５５  電力累積信号
６５６  テーブルアドレス
６５７  サンプル時間情報
６５８  テーブル情報
６５９  システムタイミング
６６０  検索結果
６６１  シンボル同期信号
６６２  信号分布情報
６６３  変調方式情報
７０１  直交復調部
７０２  遅延部
７０３  差分演算部
７０４  絶対値演算部
７０５  加算部
７０６  記憶部
７０７  記憶制御部
７０８  時間制御部
７０９  検索部
７１０  同期信号生成部
７１１  信号分布検出部
７１２  変調信号推定部
７５０  受信信号
７５１  直交ベースバンド信号
７５２  遅延信号
７５３  差分ベースバンド信号
７５４  差分絶対値信号
７５５  絶対値累積信号
７５６  テーブルアドレス
７５７  サンプル時間情報
７５８  テーブル情報
７５９  システムタイミング
７６０  検索結果
７６１  シンボル同期信号
７６２  信号分布情報
７６３  変調方式情報
【図１】
0004142202.tif 000002
【図２】
0004142202.tif 000003
【図３】
0004142202.tif 000004
【図４】
0004142202.tif 000005
【図５】
0004142202.tif 000006
【図６】
0004142202.tif 000007
【図７】
0004142202.tif 000008